(57)【要約】【課題】本発明は、表示された情報の秘匿性と、ユーザの作業性との両立を図ることが可能な表示装置を提供することを目的とする。【解決手段】携帯電話機１は、画像を表示可能な表示領域１１ａを有する表示部１１と、表示部１１の表示領域１１ａにおける全部又は一部を指定可能なタッチセンサ１２と、タッチセンサ１２からの指定情報に基づいて指定領域ＳＡを設定すると共に、表示部１１に表示された前記画像のうち、タッチセンサ１２に対応する対象領域ＴＡに対して色属性の差を変更する変更処理をして表示部１１に表示させる制御部２００と、を備える。【選択図】図３
2013020522.tif 000002
【特許請求の範囲】
【請求項１】
画像を表示可能な表示領域を有する表示部と、
前記表示部の表示領域における全部又は一部を指定可能な領域指定部と、
前記領域指定部からの指定情報に基づいて指定領域を設定すると共に、前記表示部に表示された前記画像のうち、前記指定領域に対応する対象領域に対して色属性の差を変更する変更処理をして前記表示部に表示させる制御部と、を備える
表示装置。
【請求項２】
前記制御部は、
前記変更処理として、前記表示部に表示された画像のうち、前記指定領域に対応する前記対象領域に対して色属性の差を小さくする第１の変更処理をする
請求項１に記載の表示装置。
【請求項３】
前記制御部は、
前記画像と、
前記対象領域に対応する領域に形成される第２の画像と、を重ね合わせて、前記第１の変更処理をする
請求項２に記載の表示装置。
【請求項４】
前記制御部は、
所定領域に対して色属性の差を小さくする第１の変更処理をした状態において、
前記所定領域に含まれる領域を前記指定領域として設定した場合、当該指定領域に対応する前記対象領域に対して前記第１の変更処理がされた状態よりも色属性の差を大きくする第２の変更処理をする
請求項２又は３に記載の表示装置。
【請求項５】
前記制御部は、
前記画像と、
前記所定領域における前記対象領域を除く非対象領域に対応する領域に形成される第２の画像と、
前記対象領域に対応する領域に形成される第３の画像と、を重ね合わせて、
前記所定領域に対して色属性の差を小さくする第１の変更処理をし、前記対象領域に対して前記第１の変更処理がされた状態よりも色属性の差を大きくする第２の変更処理をする
請求項４に記載の表示装置。
【請求項６】
前記領域指定部は、前記表示部における前記表示領域に対応して配置され、接触物の接触及び接触位置を検出する接触検出部を備え、
前記制御部は、前記接触検出部からの検出結果を操作入力情報として受付可能であって、
前記第１の変更処理された領域に対応する領域における検出情報は操作入力として受け付けず、
前記第１の変更処理されていない領域、又は、前記第２の変更処理された領域に対応する領域における検出情報は操作入力として受け付ける
請求項４から５のいずれかに記載の表示装置。
【請求項７】
前記制御部は、
前記第２の変更処理をした指定領域に対して、所定時間後に再び前記第１の変更処理をする
請求項４から６のいずれかに記載の表示装置。
【請求項８】
前記制御部は、
前記第１の変更処理がされた領域にカーソルを表示した場合、
前記カーソルが表示された領域又は前記カーソルが移動可能な領域の全部又は一部を前記指定領域として設定し、前記指定領域に対応する対象領域に対して前記第２の変更処理をする
請求項４から７のいずれかに記載の表示装置。
【請求項９】
前記制御部は、
前記第１の変更処理がされていない操作ガイド情報を表示している際に、
前記操作ガイド情報が表示された領域を前記指定領域として設定する入力があった場合、
当該入力を受け付けない処理をする、又は、
前記指定領域に対応する対象領域に対して前記変更処理がされた状態よりも色属性の差を大きくする第２の変更処理をする
請求項２から８のいずれかに記載の表示装置。
【請求項１０】
前記領域指定部は、前記表示部における前記表示領域に対応して配置され、接触物の接触及び接触位置を検出する接触検出部を備え、
前記制御部は、前記接触検出部からの検出結果に基づいて、前記指定領域を設定する
請求項１から９に記載の表示装置。
【請求項１１】
前記制御部は、
前記接触検出部からの検出結果により接触物における摺動移動を検知した場合、接触物が摺動移動した摺動領域に基づいて、前記指定領域を設定する
請求項１０に記載の表示装置。
【請求項１２】
前記制御部は、前記接触検出部からの検出結果により２点の接触が検知された場合、２つの接触点の間の領域を前記指定領域に設定する
請求項１０に記載の表示装置。
【請求項１３】
１又は複数のキー部と、
時間を計時可能な計時部と、を備え、
前記制御部は、前記１又は複数のキーのうち、所定キーが押圧されたことを検知すると共に、前記計時部からの計時情報に基づいて、前記所定キーが所定時間以上押圧されたことを検知した場合、
前記所定領域の全部を前記指定領域に設定して、前記指定領域に対応する対象領域に対して前記第１の変更処理を解除処理する
請求項４から８のいずれかに記載の表示装置。
【請求項１４】
前記制御部は、
前記色属性の差の変更を明度、彩度、色相及びトーンカーブから選ばれる１以上を変更することで行う
請求項１から１３のいずれかに記載の表示装置。
【請求項１５】
前記制御部は、
前記画像における前記対象領域に文字が含まれている場合、前記文字の色を基準として色属性の差を変更する
請求項１から１４のいずれかに記載の表示装置。
【請求項１６】
前記制御部は、
前記画像の前記対象領域における背景の色を基準として色属性の差を変更する
請求項１から１５のいずれかに記載の表示装置。
【請求項１７】
前記制御部は、
前記画像を拡大又は縮小した場合、前記画像の拡大又は縮小に対応して前記対象領域を拡大又は縮小する
請求項１から１６のいずれかに記載の表示装置。
【請求項１８】
画像を表示可能な表示領域を有する表示部と、前記表示部の表示領域における全部又は一部を指定する領域指定部と、を有する表示装置が、画像を表示する表示方法であって、
前記表示装置が、前記領域指定部からの指定情報に基づいて指定領域を設定するステップと、
前記表示装置が、前記表示部に表示された前記画像のうち、前記指定領域に対応する対象領域に対して色属性の差を変更する変更処理をするステップと、
前記表示装置が、変更処理をした画像を前記表示部に表示させるステップと、を含む
表示方法。
【請求項１９】
画像を表示可能な表示領域を有する表示部と、前記表示部の表示領域における全部又は一部を指定する領域指定部と、を有する表示装置に画像を表示させる表示方法を実行させるプログラムであって、
前記表示装置が、前記領域指定部からの指定情報に基づいて指定領域を設定するステップと、
前記表示装置が、前記表示部に表示された前記画像のうち、前記指定領域に対応する対象領域に対して色属性の差を変更する変更処理をするステップと、
前記表示装置が、変更処理をした画像を前記表示部に表示させるステップと、を実行させる
プログラム。
【発明の詳細な説明】
【技術分野】
【０００１】
本発明は、表示装置、表示装置に変更画像を表示させる表示方法、及び該表示方法を実行させるプログラムに関する。
【背景技術】
【０００２】
従来、携帯電話機等の表示装置において、覗き見防止機能を有するものがある。
このような表示装置として、例えば、周囲の人から画面が見えにくくなるように画面のコントラストを低下させ、画面の視認性を低下させる機能を有するものがある（例えば、特許文献１参照）。
【先行技術文献】
【特許文献】
【０００３】
【特許文献１】特開２００８−２０７５０号公報
【発明の概要】
【発明が解決しようとする課題】
【０００４】
しかし、特許文献１の表示装置は、画面全体のコントラストを調整しているので、画面全体の視認性を低下さている。
この場合、表示装置のユーザも同様に画面の内容を視認しにくくなり、ユーザにおける作業性が低下する場合があった。
ここで、秘匿したい情報が表示された部分は視認性を低下させたままで、作業において必要な部分だけ視認性を向上可能な表示装置が望まれている。
【０００５】
本発明は、表示された情報の秘匿性と、ユーザの作業性との両立を図ることが可能な表示装置を提供することを目的とする。
また、本発明は、表示された情報の秘匿性と、ユーザの作業性との両立を図ることが可能な表示方法を提供することを目的とする。
また、本発明は、表示された情報の秘匿性と、ユーザの作業性との両立を図ることが可能な表示方法を実行可能なプログラムを提供することを目的とする。
【課題を解決するための手段】
【０００６】
本発明は、画像を表示可能な表示領域を有する表示部と、前記表示部の表示領域における全部又は一部を指定可能な領域指定部と、前記領域指定部からの指定情報に基づいて指定領域を設定すると共に、前記表示部に表示された前記画像のうち、前記指定領域に対応する対象領域に対して色属性の差を変更する変更処理をして前記表示部に表示させる制御部と、を備える表示装置に関する。
【０００７】
また、前記制御部は、前記変更処理として、前記表示部に表示された画像のうち、前記指定領域に対応する前記対象領域に対して色属性の差を小さくする第１の変更処理をすることが好ましい。
【０００８】
また、前記制御部は、前記画像と、前記対象領域に対応する領域に形成される第２の画像と、を重ね合わせて、前記第１の変更処理をすることが好ましい。
【０００９】
また、前記制御部は、所定領域に対して色属性の差を小さくする第１の変更処理をした状態において、前記所定領域に含まれる領域を前記指定領域として設定した場合、当該指定領域に対応する前記対象領域に対して前記第１の変更処理がされた状態よりも色属性の差を大きくする第２の変更処理をすることが好ましい。
【００１０】
また、前記制御部は、前記画像と、前記所定領域における前記対象領域を除く非対象領域に対応する領域に形成される第２の画像と、前記対象領域に対応する領域に形成される第３の画像と、を重ね合わせて、前記所定領域に対して色属性の差を小さくする第１の変更処理をし、前記対象領域に対して前記第１の変更処理がされた状態よりも色属性の差を大きくする第２の変更処理をすることが好ましい。
【００１１】
また、前記領域指定部は、前記表示部における前記表示領域に対応して配置され、接触物の接触及び接触位置を検出する接触検出部を備え、前記制御部は、前記接触検出部からの検出結果を操作入力情報として受付可能であって、前記第１の変更処理された領域に対応する領域における検出情報は操作入力として受け付けず、前記第１の変更処理されていない領域、又は、前記第２の変更処理された領域に対応する領域における検出情報は操作入力として受け付けることが好ましい。
【００１２】
まあ、前記制御部は、前記第２の変更処理をした指定領域に対して、所定時間後に再び前記第１の変更処理をすることが好ましい。
【００１３】
また、前記制御部は、前記第１の変更処理がされた領域にカーソルを表示した場合、前記カーソルが表示された領域又は前記カーソルが移動可能な領域の全部又は一部を前記指定領域として設定し、前記指定領域に対応する対象領域に対して前記第２の変更処理をすることが好ましい。
【００１４】
また、前記制御部は、前記第１の変更処理がされていない操作ガイド情報を表示している際に、前記操作ガイド情報が表示された領域を前記指定領域として設定する入力があった場合、当該入力を受け付けない処理をする、又は、前記指定領域に対応する対象領域に対して前記変更処理がされた状態よりも色属性の差を大きくする第２の変更処理をすることが好ましい。
【００１５】
また、前記領域指定部は、前記表示部における前記表示領域に対応して配置され、接触物の接触及び接触位置を検出する接触検出部を備え、前記制御部は、前記接触検出部からの検出結果に基づいて、前記指定領域を設定することが好ましい。
【００１６】
また、前記制御部は、前記接触検出部からの検出結果により接触物における摺動移動を検知した場合、接触物が摺動移動した摺動領域に基づいて、前記指定領域を設定することが好ましい。
【００１７】
また、前記制御部は、前記接触検出部からの検出結果により２点の接触が検知された場合、２つの接触点の間の領域を前記指定領域に設定することが好ましい。
【００１８】
また、表示装置は、１又は複数のキー部と、時間を計時可能な計時部と、を備え、
前記制御部は、前記１又は複数のキーのうち、所定キーが押圧されたことを検知すると共に、前記計時部からの計時情報に基づいて、前記所定キーが所定時間以上押圧されたことを検知した場合、前記所定領域の全部を前記指定領域に設定して、前記指定領域に対応する対象領域に対して前記第１の変更処理を解除処理することが好ましい。
【００１９】
また、前記制御部は、前記色属性の差の変更を明度、彩度、色相及びトーンカーブから選ばれる１以上を変更することで行うことが好ましい。
【００２０】
また、前記制御部は、前記画像における前記対象領域に文字が含まれている場合、前記文字の色を基準として色属性の差を変更することが好ましい。
【００２１】
また、前記制御部は、前記画像の前記対象領域における背景の色を基準として色属性の差を変更することが好ましい。
【００２２】
また、前記制御部は、前記画像を拡大又は縮小した場合、前記画像の拡大又は縮小に対応して前記対象領域を拡大又は縮小することが好ましい。
【００２３】
また、本発明は、画像を表示可能な表示領域を有する表示部と、前記表示部の表示領域における全部又は一部を指定する領域指定部と、を有する表示装置が、画像を表示する表示方法であって、前記表示装置が、前記領域指定部からの指定情報に基づいて指定領域を設定するステップと、前記表示装置が、前記表示部に表示された前記画像のうち、前記指定領域に対応する対象領域に対して色属性の差を変更する変更処理をするステップと、前記表示装置が、変更処理をした画像を前記表示部に表示させるステップと、を含む表示方法に関する。
【００２４】
また、本発明は、画像を表示可能な表示領域を有する表示部と、前記表示部の表示領域における全部又は一部を指定する領域指定部と、を有する表示装置に画像を表示させる表示方法を実行させるプログラムであって、前記表示装置が、前記領域指定部からの指定情報に基づいて指定領域を設定するステップと、前記表示装置が、前記表示部に表示された前記画像のうち、前記指定領域に対応する対象領域に対して色属性の差を変更する変更処理をするステップと、前記表示装置が、変更処理をした画像を前記表示部に表示させるステップと、を実行させるプログラムに関する。
【発明の効果】
【００２５】
本発明によれば、表示された情報の秘匿性と、ユーザの作業性との両立を図ることが可能な表示装置を提供することができる。
また、本発明によれば、表示された情報の秘匿性と、ユーザの作業性との両立を図ることが可能な表示方法を提供することができる。
また、本発明によれば、表示された情報の秘匿性と、ユーザの作業性との両立を図ることが可能な表示方法を実行可能なプログラムを提供することができる。
【図面の簡単な説明】
【００２６】
【図１】第１実施携帯に係る携帯電話機の外観斜視図である。
【図２】第１実施形態に係る携帯電話機の機能構成を示すブロック図である。
【図３】マスキングの緩和処理における携帯電話機１の第１動作例を説明する図である。
【図４】マスキングの緩和処理における携帯電話機１の第２動作例を説明する図である。
【図５】マスキングの緩和処理における携帯電話機１の第３動作例を説明する図である。
【図６】マスキング設定処理における携帯電話機１の動作を説明する図である。
【図７】領域移動処理における携帯電話機１の動作を説明する図である。
【図８】携帯電話機１における動作を説明する基本フロー図である。
【図９】マスキング緩和処理における携帯電話機１の動作を説明するフロー図である。
【図１０】マスキング設定処理における携帯電話機１の動作を説明するフロー図である。
【図１１】領域移動処理における携帯電話機１の動作を説明するフロー図である。
【図１２】第２実施形態における表示領域１１ａの第１例を説明する図である。
【図１３】第２実施形態における表示領域１１ａの第２例を説明する図である。
【図１４Ａ】第３実施形態における表示領域１１ａの第１態様を説明する図である。
【図１４Ｂ】第３実施形態における表示領域１１ａの第２態様を説明する図である。
【発明を実施するための形態】
【００２７】
以下、本発明の表示装置としての携帯電話機について説明する。
まず、図１から図１１により、第１実施形態における携帯電話機１について説明する。
図１は、第１実施携帯に係る携帯電話機の外観斜視図である。図２は、第１実施形態に係る携帯電話機の機能構成を示すブロック図である。図３は、マスキング緩和処理における携帯電話機１の第１動作例を説明する図である。図４は、マスキング緩和処理における携帯電話機１の第２動作例を説明する図である。図５は、マスキング緩和処理における携帯電話機１の第３動作例を説明する図である。図６は、マスキング設定処理における携帯電話機１の動作を説明する図である。図７は、領域移動処理における携帯電話機１の動作を説明する図である。図８は、携帯電話機１における動作を説明する基本フロー図である。図９は、マスキング緩和処理における携帯電話機１の動作を説明するフロー図である。図１０は、マスキング設定処理における携帯電話機１の動作を説明するフロー図である。図１１は、領域移動処理における携帯電話機１の動作を説明するフロー図である。
【００２８】
図１に示すように、携帯電話機１（表示装置）は、筐体２を備える。筐体２は、表示部１１（表示部）と、タッチセンサ１２（接触検知部、領域指定部）と、押圧力検出部１３と、マイク１４と、スピーカ１５と、キー１６と、ケース部材２０と、を備える。
【００２９】
表示部１１は、画像を表示可能に構成される。ここで、画像とは、文字列、アイコン、アプリケーションごとに設定された画面等を含む概念である。
表示部１１は、画像を表示する表示領域１１ａを有する。
表示部１１は、表示領域１１ａが外部から視認可能に筐体２に収容配置される。
表示部１１は、本実施形態において、液晶を用いた表示デバイスである。表示部１１は、駆動回路と、背面側から光を照射するバックライト等の光源部とを有して構成される。
表示部１１は、フレキシブルプリント基板等を介して、筐体２の内部に配置された回路基板（不図示）と電気的に接続される。
ここで、表示部材としては、有機ＥＬ（エレクトロルミネッセンス）、無機ＥＬ、および電子インク等を用いた表示デバイスが使用されてもよい。電子インクを用いた表示デバイスとしては、電子ペーパ等が挙げられる。
【００３０】
タッチセンサ１２は、表示部１１における表示領域１１ａに対応して配置される。例えば、タッチセンサ１２は、表示部１１の表示領域１１ａ側の面に、表示領域１１ａの全部又は一部を覆うように配置される。このタッチセンサ１２は、透光性があり、表示部１１の表示領域１１ａが視認可能である。
タッチセンサ１２は、ユーザの指およびタッチペン等の接触物における接触及び接触位置を検出する。タッチセンサ１２は、接触物の接触位置における座標情報を検出する。タッチセンサ１２は、検出した位置情報（座標情報）を後述する制御部２００（位置検知部２１０）に出力する。
タッチセンサ１２として、例えば、静電容量方式、抵抗膜方式、電磁誘導方式、表面弾性波方式（または超音波方式）、赤外線方式、および荷重検出方式等のセンサが用いられる。
【００３１】
ここで、タッチセンサ１２は、例えば、外面に保護パネル等が配置されている場合には、この保護パネル等も含んで構成される。タッチセンサ１２は、ユーザが表示部１１における表示領域１１ａの所定位置を指で指定する場合に、ユーザの指が当接されるように配置される。
タッチセンサ１２は、表示部１１の表示領域１１ａにおける全部又は一部を指定可能に構成される。
また、タッチセンサ１２は、外部からの操作入力を受け付ける。タッチセンサ１２は、ユーザからの操作を受け付ける操作入力部として機能する。
【００３２】
押圧力検出部１３は、タッチセンサ１２に加えられた押圧力を検出する。押圧力検出部１３は、タッチセンサ１２の配置領域に対応して配置される。押圧力検出部１３は、例えば、表示部１１とタッチセンサ１２との間に配置される。
押圧力検出部１３は、検出した押圧力情報を後述する制御部２００（処理パターン判定部２２３）に出力する。
【００３３】
マイク１４は、携帯電話機１のユーザが通話時に発した音声を入力するために用いられる。
スピーカ１５は、携帯電話機１のユーザの通話相手が発した音声を出力するために用いられる。
【００３４】
キー１６は、押下されることで、所定の信号を制御部２００（入力受付部２２０、モード切替部２２５）に出力する。
本実施形態において、キー１６は、制御部２００（入力受付部２２０）におけるモードの切り替え、ならびに後述するマスキング処理の設定および解除の切り替えを制御部２００に実行させるための操作入力部として機能する。
例えば、キー１６が押下されることで、制御部２００（モード切替部２２５）は、通常モードと、マスキング処理モードとに、モードを切り替える。通常モードでは、上述したタッチセンサ１２からの検出情報を操作入力の情報として利用する。マスキング処理モードでは、検出情報をマスキング処理の設定または解除の操作情報として利用する。
また、例えば、キー１６が長押しされた場合、制御部２００は、表示領域１１ａに表示された画像（画面）の全部又は一部をマスキング処理された画像に変更し、又は、マスキング処理された画像をマスキング処理が解除された画像に変更するように構成される。
【００３５】
続いて、図２により、携帯電話機１の機能構成について説明する。
まず、図２に示すように、携帯電話機１は、表示部１１と、タッチセンサ１２と、押圧力検出部１３と、マイク１４と、スピーカ１５と、キー１６と、を備える。
また、携帯電話機１は、通信部１００と、タイマー１７と、制御部２００と、記憶部３００と、アプリケーション処理部４００と、を内部に備える。
【００３６】
通信部１００は、所定の使用周波数帯により外部装置と無線通信を行うメインアンテナ部９０と、変調処理又は復調処理等の信号処理を行う通信処理部１０１と、を備える。
メインアンテナ部９０は、所定の使用周波数帯（例えば、８００ＭＨｚ）で基地局（不図示）と通信を行う。メインアンテナ部９０は、所定の使用周波数帯で基地局を介して外部の通信機器と通信を行う。
通信処理部１０１は、所定の機能部から供給された信号を変調処理しメインアンテナ部９０等を介して基地局に送信すると共に、メインアンテナ部９０により受信された信号を復調処理し所定の機能部に供給する。
【００３７】
タイマー１７は、時間を計時可能である。
タイマー１７は、時間情報を制御部２００（接触時間計時部）に時間情報を出力する。
【００３８】
制御部２００は、携帯電話機１の全体を制御している。
制御部２００は、位置検知部２１０と、押圧力検知部２１３と、キー検知部２１５と、入力受付部２２０と、処理パターン判定部２２３と、モード切替部２２５と、計時部２３０と、指定領域設定部２３５と、マスキング処理部２４０と、レイヤー制御部２５０と、画像処理部２５５と、画像情報出力部２６０と、を含む。なお、制御部２００は、例えば、ＣＰＵ（Ｃｅｎｔｒａｌ  Ｐｒｏｃｅｓｓｉｎｇ  Ｕｎｉｔ）により構成される。また、制御部２００は、複数のマイクロプロセッサにより構成されてもよい。
また、制御部２００は、上述した表示部１１に対して表示制御を行う。この制御部２００は、例えば、ＧＰＵ（Ｇｒａｐｈｉｃｓ  Ｐｒｏｃｅｓｓｉｎｇ  Ｕｎｉｔ）を含んで構成される。
【００３９】
本実施形態において、制御部２００は、ユーザによって指定された領域の色属性を変更して表示部１１に表示させる。詳述すると、まず、制御部２００は、タッチセンサ１２等の領域指定部からの指定情報に基づいて指定領域ＳＡを設定する。次に、制御部２００は、表示部１１に表示された画像のうち、指定領域ＳＡに対応する対象領域に対して色属性の差を変更する変更処理をして変更画像を生成する。次に、制御部２００は、生成した該変更画像を表示部１１に表示させる。これらの処理は、制御部２００に含まれる各種機能によって実現される。
【００４０】
また、制御部２００は、表示部１１に表示された画像のうち、指定領域ＳＡに対応する対象領域ＴＡに対してマスキング処理（変更処理、第１の変更処理）をする。このマスキング処理とは、対象領域ＴＡにおける色属性の差を小さくする画像色の変更処理である。制御部２００は、表示部１１の表示領域１１ａのうちマスキング処理されていない領域が指定された場合、指定領域ＳＡに対応する対象領域ＴＡに対してマスキング処理をする。言い換えると、表示部１１において通常表示がされた領域をユーザが所定のタッチセンサ１２等の領域指定部を介して指定すると、制御部２００は、指定領域ＳＡに対応する対象領域ＴＡの視認性を低下させる。例えば、制御部２００は、表示部１１の表示領域１１ａにおける一部の視認性を低下させる。
ここでいう色属性とは、例えば明度、彩度、および色相が挙げられる。また、色属性の差を小さくするとは、色属性を調整して互いの色の違いを小さくすることをいう。色属性の差を小さくする例としては、指定領域の色を所定色に近づけて表示する場合、指定領域の色を淡色化して表示する場合、指定領域の色を濃色化して表示する場合、および指定領域の色を色相環における近色に近づけて表示する場合が挙げられる。
【００４１】
また、制御部２００は、マスキング処理された所定領域ＭＡに含まれる領域を指定領域ＳＡとして設定した場合、指定領域ＳＡに対応した対象領域ＴＡに対して緩和処理（変更処理、第２の変更処理）がされる。緩和処理とは、マスキング処理がされた状態よりも色属性の差を大きくする画像色の変更処理である。言い換えると、制御部２００は、表示部１１の表示領域１１ａのうちマスキング処理されている領域が指定された場合、指定領域ＳＡに対応する対象領域ＴＡに対してマスキング処理を緩和させる。つまり、表示部１１において視認性を低下させた領域をユーザが所定のタッチセンサ１２等の領域指定部を介して指定すると、制御部２００は、指定領域ＳＡに対応する対象領域ＴＡの視認性を向上させる処理をする。この視認性の向上は、マスキング処理された領域に対する相対的な向上である。例えば、制御部２００は、表示部１１の表示領域１１ａにおける一部に対する視認性の低下を緩和して元の状態に戻すことができる。また、この制御部２００は、マスキング処理の緩和処理として、マスキング処理の解除処理を採用可能である。マスキング処理の解除処理とは、色属性を元に戻すことをいう。
【００４２】
位置検知部２１０は、タッチセンサ１２からの検出結果に基づいて、接触物の接触位置を検知する。位置検知部２１０は、タッチセンサ１２からの検出結果に基づいて、接触物が接触している領域を検知する。タッチセンサ１２に接触させる接触物としては、例えばユーザの指またはタッチペンなどが挙げられる。この接触物は、タッチセンサ１２の検出方式に応じて適宜変更可能である。
また、位置検知部２１０は、タッチセンサ１２からの検出結果に基づいて、複数の接触物の接触を検知する。具体的には、位置検知部２１０は、接触点数及びそれぞれの接触位置（領域）を検知する。
位置検知部２１０は、検知した結果の情報を入力受付部２２０に出力する。
【００４３】
押圧力検知部２１３は、押圧力検出部１３からの検出結果に基づいて、タッチセンサ１２に対して加えられた押圧力を検知する。
押圧力検知部２１３は、検知した結果の情報を入力受付部２２０に出力する。
【００４４】
キー検知部２１５は、キー１６の押下を検知する。キー検知部２１５は、ユーザによりキー１６が押下操作されたことを検知する。
キー検知部２１５は、検知結果の情報を入力受付部２２０に出力する。
【００４５】
入力受付部２２０は、タッチセンサ１２からの検出結果をマスキング処理に関する情報、又は、操作入力情報として受付可能である。入力受付部２２０は、タッチセンサ１２からの検出結果を、位置検知部２１０を介して受け付ける。入力受付部２２０は、位置検知部２１０における検知結果である位置（領域）情報を受け付ける。
【００４６】
入力受付部２２０は、本実施形態において、モード切替部２２５からのモード切り替えに基づいて、通常モードと、マスキング処理モードとにモードが切り替えられる。
入力受付部２２０は、通常モードにおいては、位置検知部２１０からの検知結果を操作入力情報として受け付け、マスキング処理モードにおいては、上記検知結果をマスキング処理に関する情報として受け付ける。
入力受付部２２０は、通常モードにおいては、受け付けた情報をアプリケーション処理部４００等に出力し、マスキング処理モードにおいては、受け付けた情報を処理パターン判定部２２３またはレイヤー制御部２５０等に出力する。
【００４７】
また、本実施形態の入力受付部２２０は、通常モードにおいて、マスキング処理された領域に対応する領域における検知情報（検出情報）は操作入力として受け付けない。一方、本実施形態の入力受付部２２０は、マスキング処理されていない領域、又は、マスキング処理の緩和処理された領域に対応する領域における検知情報（検出情報）は操作入力として受け付ける。
入力受付部２２０は、例えば、位置検知部２１０により検知された接触位置が画像（画面）におけるマスキング処理された領域に対応した領域内である場合、接触位置の情報を操作入力情報として受け付けない。このマスキング処理された領域に対応する領域への操作入力は、キャンセルされ、無効となる。
また、入力受付部２２０は、検知された接触位置が画像（画面）におけるマスキング処理されていない領域、又は、マスキング緩和処理された領域に対応する領域内である場合、接触位置の情報を操作入力情報として受け付ける。
【００４８】
また、入力受付部２２０は、押圧力検知部２１３における検知結果の情報およびキー検知部２１５における検知結果の情報を受け付ける。
入力受付部２２０は、押圧力検知部２１３からの検知結果の情報およびキー検知部２１５からの検知結果の情報を、処理パターン判定部２２３またはモード切替部２２５に出力する。
【００４９】
処理パターン判定部２２３は、位置検知部２１０がタッチセンサ１２からの検出結果により複数点の接触を検知した場合、該検知した接触点数に基づいて、処理パターンを判定する。
処理パターン判定部２２３は、後述する処理パターン記憶部３２０に記憶される処理パターン情報を参照し、位置検知部２１０が検知した接触点数に基づいて、処理パターンを判定する。
【００５０】
処理パターンの例として、例えば、接触点数が１点の場合、指定領域設定部２３５は、接触が検知された領域（後述する摺動領域を含む）を指定領域に設定する。
例えば、接触点数が２点の場合、指定領域設定部２３５は、接触が検知された領域同士の間の領域（挟まれた領域）を指定領域に設定する。
また、例えば、接触点数が３点の場合、指定領域設定部２３５は、表示領域１１ａの全部を指定領域に設定すると共に、マスキング処理部２４０は、該指定領域をマスキング処理緩和領域にするようレイヤー制御部２５０に指示する。
また、例えば、接触点数が４点の場合、指定領域設定部２３５は、表示領域１１ａの全部を指定領域に設定すると共に、マスキング処理部２４０は、該指定領域をマスキング処理設定領域にするようレイヤー制御部２５０に指示する。
また、例えば、接触点数が５点の場合、指定領域設定部２３５は、マスキング処理設定領域を第１指定領域に設定し、マスキング処理緩和領域を第２指定領域に設定すると共に、マスキング処理部２４０は、第１指定領域をマスキング処理緩和領域とし、第２指定領域をマスキング処理設定領域にするようレイヤー制御部２５０に指示する（逆転させる）。
【００５１】
また、処理パターン判定部２２３は、計時部２３０を利用して、各種計時時間の情報を取得する。処理パターン判定部２２３は、接触位置等の情報と、各種計時時間の情報とに基づいて、処理パターンを判定する。
処理パターンの例として、レイヤー制御部２５０は、接触物の接触領域（摺動領域）に対してマスキング処理を緩和処理した後、所定時間後に再びマスキング処理をする場合、該所定時間を、接触位置（領域）の情報と、接触時間の情報とに基づいて定められた時間に設定する。接触時間とは、接触物における摺動移動の開始から終了までの時間である。この場合、例えば、接触時間が短い場合には元にもどすまでの所定時間を短くし、接触時間が長い場合には元にもどすまでの所定時間を長くする。
【００５２】
また、処理パターン判定部２２３は、押圧力検知部２１３からの検知結果の情報、キー検知部２１５からの検知結果の情報を受信する。
処理パターン判定部２２３は、後述する処理パターン記憶部３２０に記憶される処理パターン情報を参照し、押圧力検知部２１３からの検知結果の情報と、位置検知部２１０からの検知結果の情報とに基づいて、処理パターンを判定する。
【００５３】
処理パターンの例として、例えば、押圧力の検知結果の情報に基づいて、モード切替部２２５が制御部２００（入力受付部２２０）におけるモードを、通常モードと、マスキング処理モードとに切り替える。
検知された押圧力が所定値未満の場合、モード切替部２２５は、制御部２００（入力受付部２２０）におけるモードを通常モードにして、位置検知部２１０からの検知情報を入力操作情報として利用させる。
検知された押圧力が所定値以上の場合、モード切替部２２５は、制御部２００（入力受付部２２０）におけるモードをマスキング処理モードにして、位置検知部２１０からの検知情報をマスキング処理に対する入力情報として利用させる。
【００５４】
また、処理パターン判定部２２３は、後述する処理パターン記憶部３２０に記憶される処理パターン情報を参照して処理パターンを判定する。この処理パターンの判定は、キー検知部２１５からの検知結果の情報と、計時部２３０からの計時時間の情報とに基づく。
【００５５】
処理パターンの例として、例えば、計時時間の情報に基づいて、モード切替部２２５は、制御部２００（入力受付部２２０）におけるモードを切り替える。また、計時時間の情報に基づいて、指定領域設定部２３５は、表示領域１１ａの全部を指定領域ＳＡに設定する。レイヤー制御部２５０は、指定領域ＳＡに対応する対象領域ＴＡにおけるマスキング処理を緩和する。
詳細には、計時時間が所定時間未満の場合、キー検知部２１５からの検知結果情報をモード切替のトリガーとし、モード切替部２２５は、制御部２００（入力受付部２２０）のモードを切り替える。
また、計時時間が所定時間以上の場合、指定領域設定部２３５は、表示領域１１ａの全部を指定領域ＳＡにすると共に、レイヤー制御部２５０は、指定領域ＳＡに対応する対象領域ＴＡおけるマスキング処理を緩和する。
【００５６】
上述のほか、処理パターン判定部２２３は、位置検知部２１０からの検知結果の情報に基づいて、所定操作に応じた処理パターンを判定する。
例えば、位置検知部２１０からの検知結果により、ユーザがタッチセンサ１２の表面においた２本の指を互いの間隔を広くするよう移動させるピンチアウト操作が検知された場合、レイヤー制御部２５０は、対象領域ＴＡ（マスキング設定用領域ＭＲ、マスキング緩和用領域ＭＫ）を、拡大する。
また、例えば、位置検知部２１０からの検知結果により、ユーザがタッチセンサ１２の表面においた２本の指を互いの間隔を狭くするよう移動させるピンチイン操作が検知された場合、レイヤー制御部２５０は、対象領域ＴＡ（マスキング設定用領域ＭＲ、マスキング緩和用領域ＭＫ）を、縮小する。
【００５７】
また、例えば、位置検知部２１０からの検知結果により、ユーザがタッチセンサ１２の表面を軽くたたくタップ操作が検知された場合、レイヤー制御部２５０は、タップ操作が検知された領域に対応する対象領域ＴＡ（マスキング設定用領域ＭＲ、マスキング緩和用領域ＭＫ）を、選択する。
そして、位置検知部２１０からの検知結果により、ユーザがタッチセンサ１２における、選択された対象領域ＴＡに対応する領域に指を置くと共に該指を摺動させるドラッグ操作が検知された場合、レイヤー制御部２５０は、対象領域ＴＡ（マスキング設定用領域ＭＲ、マスキング緩和用領域ＭＫ）を、移動する。
【００５８】
処理パターン判定部２２３は、例えば、位置検知部２１０からの接触位置（領域）情報と、後述する位置記憶部３１０に記憶される（従前、直前の）接触位置（領域）情報とを比較すると共に、比較の結果、接触状況に変化がある場合には上記判定処理を開始する。
処理パターン判定部２２３は、判定した処理パターンの情報に基づいて、入力受付部２２０から受け付けた情報や、処理パターンの情報に含まれる所定情報を、マスキング処理部２４０やレイヤー制御部２５０等に出力する。
【００５９】
モード切替部２２５は、制御部２００（入力受付部２２０）におけるモードを切り替える。モード切替部２２５は、制御部２００（入力受付部２２０）におけるモードを、通常モードと、マスキング処理モードとに切り替える。
上述の通り、通常モードは、入力受付部２２０が位置検知部２１０からの検知結果（タッチセンサ１２からの検出情報）を操作入力の情報として受け付けるモードである。
また、マスキング処理モードは、入力受付部２２０が位置検知部２１０からの検知結果（タッチセンサ１２からの検出情報）をマスキング設定処理又は前記マスキング緩和処理の情報として受け付けるモードである。
【００６０】
モード切替部２２５は、タッチセンサ１２からの検出情報により所定のアイコンを選択したことを検知した情報や、キー１６を押下したことを検知した情報を受け付けた場合、制御部２００（入力受付部２２０）のモードを、通常モードと、マスキングモードとに切り替える。
【００６１】
モード切替部２２５は、例えば、キー検知部２１５によりキー１６の押下が検知された場合、制御部２００（入力受付部２２０）におけるモードを切り替える。
ここで、モード切替部２２５は、キー検知部２１５によりキー１６の押下が検知されたことをトリガーとしてモードを切り替えてもよく、また、キー検知部２１５によりキー１６の押下が検知されている間（ユーザがキー１６を押下し続けている間）だけマスキング処理モードに切り替えるように構成されてもよい。
【００６２】
また、モード切替部２２５は、位置検知部２１０により検知された接触領域が表示部１１における表示領域１１ａに表示される所定のアイコンに対応する領域である場合（ユーザが所定アイコンの上面に指をおいた場合）、制御部２００（入力受付部２２０）におけるモードを切り替えるように構成されてもよい。
【００６３】
また、モード切替部２２５は、例えば、押圧力検出部１３により検出された押圧力の強さに応じて、制御部２００（入力受付部２２０）におけるモードを切り替える。
ここで、モード切替部２２５は、例えば、押圧力検出部１３により検出された押圧力が弱い（小さい）場合、制御部２００（入力受付部２２０）におけるモードを通常モードとし、押圧力検出部１３により検出された押圧力が強い（大きい）場合、制御部２００（入力受付部２２０）におけるモードをマスキング処理モードとする。
この場合、ユーザは、表示部１１の表示領域１１ａ（タッチセンサ１２）への押圧力を調整するだけで、マウス等を選択するための操作入力が可能な通常モードと、マスキング処理の設定／緩和の操作とを行うことが可能なマスキング処理モードとに簡易にモード切替を実行させることができる。
【００６４】
計時部２３０は、タイマー１７からの時間情報を取得し、各種計時時間を計時可能に構成される。
計時部２３０は、例えば、接触物における摺動移動の開始から終了までの時間である接触時間を計時可能に構成される。
また、計時部２３０は、例えば、キー検知部２１５からの検知情報に基づいて、キー１６が押下された時間を検知可能に構成される。
計時部２３０は、計時時間の情報を処理パターン判定部２２３等に出力する。
【００６５】
指定領域設定部２３５は、タッチセンサ１２（領域指定部）からの接触位置情報（指定情報）に基づいて、指定領域ＳＡを設定する。指定領域設定部２３５は、タッチセンサ１２からの検出結果に基づいて、指定領域ＳＡを設定する。指定領域設定部２３５は、タッチセンサの検出結果から位置検知部２１０が検知した検知結果に基づいて、指定領域ＳＡを設定する。
【００６６】
指定領域設定部２３５は、位置検知部２１０からの検知結果により接触物における摺動移動が検知された場合、接触物が摺動移動した摺動領域に基づいて、指定領域ＳＡを設定する。この場合、指定領域設定部２３５は、検知された摺動領域を指定領域ＳＡに設定してもよく、摺動領域を基準として指定領域ＳＡを設定してもよい（例えば、表示領域１１ａが複数の領域に区分されている場合、摺動領域を含む区分領域を指定領域ＳＡとして設定してもよい）。
【００６７】
指定領域設定部２３５は、位置検知部２１０からの検知結果により、複数点の接触が検知された場合、該検知された接触点数に基づいて、表示領域１１ａにおける全部又は一部を前記指定領域として設定する。
【００６８】
また、指定領域設定部２３５は、例えば、位置検知部２１０からの検知結果により、２点の接触点が検知された場合、上述の通り、２つの接触点の間の領域を指定領域ＳＡに設定する。指定領域設定部２３５は、例えば、２つの接触点をつなぐように延びる領域を指定領域ＳＡとして設定する。ここで、指定領域ＳＡの幅（高さ）は、適宜設定できる。例えば、文字列が表示される領域である場合、上記幅（高さ）は、文字列の高さに応じて設定されてもよい。
【００６９】
また、指定領域設定部２３５は、例えば、位置検知部２１０からの検知結果により、３点の接触点を検知した場合、上述の通り、表示領域１１ａにおける全部の領域を指定領域ＳＡに設定する。
【００７０】
また、指定領域設定部２３５は、例えば、キー検知部２１５からの検知結果情報、及び計時部２３０からのキー１６が押下された時間の情報により、キー１６が所定時間押下（押圧）されたことが検知された場合、上述の通り、表示領域１１ａにおける全部の領域を指定領域ＳＡに設定する。
【００７１】
ここで、指定領域ＳＡは、表示領域１１ａにおいて視認性を低下させたい、又は、視認性を向上させたい（視認性低下の状態を緩和させたい）領域である。
また、対象領域ＴＡは、画像（画面）において指定領域ＳＡに対応する領域であり、マスキング処理を設定、又は、緩和させる領域である。
【００７２】
また、指定領域設定部２３５は、処理パターン判定部２２３からの情報に基づいて、指定領域ＳＡを設定する。
【００７３】
マスキング処理部２４０は、対象領域ＴＡにマスキング設定処理（マスキング処理）又は緩和処理を行うようレイヤー制御部２５０に指示する。マスキング処理部２４０は、所定の対象領域ＴＡに対して、マスキング設定処理をするのか、マスキング緩和処理をするのかを指定する。
マスキング処理部２４０は、表示部１１に表示された画像（画面）のうち、指定領域ＳＡに対応する対象領域ＴＡに対して色属性の差を小さくする変更処理であるマスキング設定処理をさせるか、指定領域ＳＡに対応する対象領域ＴＡに対して色属性の差を大きくする変更処理であるマスキング緩和処理をさせるか指定する。
【００７４】
本実施形態において、マスキング処理部２４０は、所定領域ＭＡに対して色属性の差を小さくする変更処理であるマスキング設定処理がされた状態において、指定領域設定部２３５が所定領域ＭＡに含まれる領域を指定領域ＳＡとして設定した場合、対象領域ＴＡに対して、マスキング設定処理がされた状態よりも色属性の差を大きくする変更処理であるマスキング緩和処理がされることを指定する。
【００７５】
ここで、マスキング処理部２４０は、位置検知部２１０からの検知結果により、マスキング設定処理がされた所定領域ＭＡにおける接触物の摺動移動が検出された場合、接触物が摺動移動した摺動領域に基づいて設定された指定領域ＳＡに対応する対象領域ＴＡに対して、マスキング緩和処理をすると共に、所定時間後に対象領域ＴＡに対して再びマスキング設定処理をすることを指定する。
【００７６】
また、マスキング処理部２４０は、処理パターン判定部２２３からの情報に基づいて、指定領域ＳＡを設定する。
マスキング処理部２４０は、例えば、指定領域ＳＡを特定する情報と、マスキング処理設定／緩和を特定する情報とをレイヤー制御部２５０に出力する。
【００７７】
レイヤー制御部２５０は、表示部１１に表示された画像（画面）のうち、指定領域ＳＡに対応する対象領域ＴＡに対して色属性の差を変更する変更処理をして変更画像を生成するための、上記変更処理における一部の処理を行う。
レイヤー制御部２５０は、画像を含む第１レイヤーＬ１に重ね合わせるための第２レイヤーＬ２を生成する。
【００７８】
レイヤー制御部２５０は、対象領域ＴＡに対応する領域ＴＡ２に形成されるマスキング設定用領域ＭＲを有する第２レイヤーＬ２を生成する。レイヤー制御部２５０は、第１レイヤーＬ１（画像）における対象領域ＴＡに対応する領域ＴＡ１の色属性の差を小さくさせるマスキング設定用領域ＭＲを有する第２レイヤーＬ２を生成する。第２レイヤーＬ２は、例えば、半透明に生成される。
【００７９】
レイヤー制御部２５０は、対象領域ＴＡに対応する領域ＴＡ２に形成されるマスキング設定用領域ＭＲを有する第２レイヤーＬ２を生成する。レイヤー制御部２５０は、第１レイヤーＬ１（画像）における対象領域ＴＡに対応する領域ＴＡ１の色属性の差を大きくさせるマスキング緩和用領域ＭＫを有する第２レイヤーＬ２を生成する。
【００８０】
レイヤー制御部２５０は、対象領域ＴＡに対応する領域ＴＡ２をマスキング設定用領域ＭＲ、又はマスキング緩和用領域ＭＫとする。
レイヤー制御部２５０は、マスキング処理部２４０からの指示により、対象領域ＴＡに対応する領域ＴＡ２をマスキング設定用領域ＭＲ、又はマスキング緩和用領域ＭＫとする。
【００８１】
レイヤー制御部２５０は、例えば、所定領域ＭＡにおける対象領域ＴＡを除く非対象領域ＨＡに対応する領域ＨＡ２に形成され、画像における非対象領域ＨＡに対応する領域ＨＡ１の色属性の差を小さくさせるマスキング設定用領域ＭＲと、対象領域ＴＡに対応する領域ＴＡ２に形成され、マスキング設定用領域ＭＲよりも、画像における対象領域ＴＡに対応する領域ＴＡ１の色属性の差を大きくさせるマスキング緩和用領域ＭＫとを有する第２レイヤーＬ２を生成する。
【００８２】
レイヤー制御部２５０は、例えば、色属性の差の変更を明度、彩度、色相及びトーンカーブから選ばれる１以上を変更することで行う。レイヤー制御部２５０は、対象領域ＴＡにおける明度、彩度、色相及びトーンカーブの情報を取得し（例えば、アプリケーション処理部４００から）、第２レイヤーＬ２を生成する。
【００８３】
レイヤー制御部２５０は、例えば、取得した明度の情報に基づいて、対象領域ＴＡにおける明度の差を小さくさせるマスキング設定用領域ＭＲ及び／又はマスキング設定用領域ＭＲよりも明度の差を大きくさせるマスキング緩和用領域ＭＫを含む第２レイヤーＬ２を生成する。
レイヤー制御部２５０は、例えば、取得した彩度の情報に基づいて、対象領域ＴＡにおける彩度の差を小さくさせるマスキング設定用領域ＭＲ及び／又はマスキング設定用領域ＭＲよりも彩度の差を大きくさせるマスキング緩和用領域ＭＫを含む第２レイヤーＬ２を生成する。
レイヤー制御部２５０は、例えば、取得した色相の情報に基づいて、対象領域ＴＡにおける色相の差を小さくさせるマスキング設定用領域ＭＲ及び／又はマスキング設定用領域ＭＲよりも色相の差を大きくさせるマスキング緩和用領域ＭＫを含む第２レイヤーＬ２を生成する。
レイヤー制御部２５０は、例えば、取得したトーンカーブの情報に基づいて、対象領域ＴＡにおけるトーンカーブの差を小さくさせるマスキング設定用領域ＭＲ及び／又はマスキング設定用領域ＭＲよりもトーンカーブの差を大きくさせるマスキング緩和用領域ＭＫを含む第２レイヤーＬ２を生成する。
また、レイヤー制御部２５０は、明度、彩度、色相及びトーンカーブそれぞれの差の変更だけでなく、これらの変更を組み合わせてもよい。
【００８４】
レイヤー制御部２５０は、画像における対象領域ＴＡに文字が含まれている場合、文字の色を基準として色属性の差を変更する。
レイヤー制御部２５０は、対象領域ＴＡにおける文字の色の情報を取得し（例えば、アプリケーション処理部４００から）、第２レイヤーＬ２を生成する。
レイヤー制御部２５０は、例えば、取得した文字の色の情報に基づいて、文字の色と同じ色又は類似する色を有するマスキング設定用領域ＭＲ及び／又はマスキング設定用領域ＭＲよりも従前の色に近い色を有するマスキング緩和用領域ＭＫとを含む第２レイヤーＬ２を生成する。
【００８５】
レイヤー制御部２５０は、画像の対象領域ＴＡにおける背景の色を基準として色属性の差を変更する。
レイヤー制御部２５０は、対象領域ＴＡにおける背景の色の情報を取得し（例えば、アプリケーション処理部４００から）、第２レイヤーＬ２を生成する。
レイヤー制御部２５０は、例えば、取得した背景の色の情報に基づいて、背景の色と同じ色又は類似する色を有するマスキング設定用領域ＭＲ及び／又はマスキング設定用領域ＭＲよりも従前の色に近い色を有するマスキング緩和用領域ＭＫを含む第２レイヤーＬ２を生成する。
【００８６】
ここで、レイヤー制御部２５０は、第２レイヤーＬ２の一部の領域におけるコントラストを変更しているともいえる。レイヤー制御部２５０は、マスキング設定用領域を、乳白色にする、暗くする、ボカす等も含めて処理を行う。
また、レイヤー制御部２５０は、マスキング設定用領域を透過性無し（塗りつぶす）に設定してもよい。この場合、レイヤー制御部２５０は、マスキング緩和用領域を半透明にしてもよい。
【００８７】
レイヤー制御部２５０は、画像が拡大又は縮小された場合、画像の拡大又は縮小に対応して対象領域ＴＡを拡大又は縮小する。
レイヤー制御部２５０は、対象領域ＴＡにおける拡大又は縮小の情報を取得し（例えば、アプリケーション処理部４００から）、第２レイヤーＬ２を生成する。
レイヤー制御部２５０は、例えば、取得した拡大又は縮小の情報に基づいて、マスキング設定用領域ＭＲを拡大又は縮小する。また、レイヤー制御部２５０は、例えば、取得した拡大又は縮小の情報に基づいて、マスキング緩和用領域ＭＫを拡大又は縮小する。
【００８８】
例えば、制御部２００（入力受付部２２０）が通常モードにおいて、ユーザがタッチセンサ１２の表面においた２本の指を互いの間隔を広くするよう移動させるピンチアウト操作をすることで表示画像が拡大された場合、レイヤー制御部２５０は、マスキング設定用領域ＭＲ及び／又はマスキング緩和用領域ＭＫを、拡大する。
また、例えば、制御部２００（入力受付部２２０）が通常モードにおいて、ユーザがタッチセンサ１２の表面においた２本の指を互いの間隔を狭くするよう移動させるピンチイン操作をして表示画像が縮小された場合、レイヤー制御部２５０は、マスキング設定用領域ＭＲ及び／又はマスキング緩和用領域ＭＫを、縮小する。
【００８９】
レイヤー制御部２５０は、外部からの所定の操作により、マスキング設定用領域ＭＲ及び／又はマスキング緩和用領域ＭＫ（例えば、対象領域ＴＡ）を移動させる。
レイヤー制御部２５０は、位置検知部２１０から移動情報（位置情報）を取得し、第２レイヤーＬ２を生成する。
レイヤー制御部２５０は、例えば、取得した移動情報に基づいて、マスキング設定用領域ＭＲ／マスキング緩和用領域ＭＫを移動させた第２レイヤーＬ２を生成する。
詳細には、レイヤー制御部２５０は、連続的に、ユーザから移動が指定された位置（移動中の位置を含む）にマスキング設定用領域ＭＲ／マスキング緩和用領域ＭＫが形成された第２レイヤーＬ２を生成する。
【００９０】
例えば、制御部２００（入力受付部２２０）がマスキング処理モードにおいて、ユーザがタッチセンサ１２を軽くたたくタップ操作をしてマスキング設定用領域ＭＲ／マスキング緩和用領域ＭＫを選択すると共に、選択したマスキング設定用領域ＭＲ／マスキング緩和用領域ＭＫに対してドラッグ操作（対応する位置に指をおいて移動させる操作）を行うことで、レイヤー制御部２５０は、マスキング設定用領域ＭＲ及び／又はマスキング緩和用領域ＭＫをユーザが指定する位置に移動させる。
【００９１】
また、レイヤー制御部２５０は、接触物の接触領域（摺動領域）に対してマスキング処理を緩和した後、所定時間後に再びマスキング処理をする場合、該所定時間を、接触位置（領域）の情報と、接触物における摺動移動の開始から終了までの時間である接触時間の情報とに基づいて定められた時間に設定する。
この場合、例えば、接触時間が短い場合には元にもどすまでの所定時間を短くし、接触時間が長い場合には元にもどすまでの所定時間を長くする。
また、レイヤー制御部２５０は、マスキング処理を緩和した領域を基の状態（マスキング処理された状態）に戻す場合、摺動が開始された側から元にもどしてもよく、全体を徐々に戻してもよい。
【００９２】
また、レイヤー制御部２５０は、マスキング処理部２４０からの指定に基づいて、第２レイヤーＬ２を生成する。言い換えると、レイヤー制御部２５０は、マスキング処理部２４０からの指定に基づいて、マスキング設定用領域ＭＲ及び／又はマスキング緩和用領域ＭＫを含む第２レイヤーＬ２を生成する。
レイヤー制御部２５０は、生成した第２レイヤーＬ２の情報をレイヤー記憶部３３０に記憶させる。
【００９３】
画像処理部２５５は、表示部１１に表示された画像（画面）のうち、指定領域ＳＡに対応する対象領域ＴＡに対して色属性の差を変更する変更処理をして変更画像を生成する。
具体的には、画像処理部２５５は、画像を含む第１レイヤーＬ１と、マスキング設定用領域ＭＲ及び／又はマスキング緩和用領域ＭＫを含む第２レイヤーＬ２と、を重ね合わせて、変更画面を生成する。ここで、画像処理部２５５は、第２レイヤーＬ２を表面側に配置して重ね合わせ処理を行う。
詳細には、画像処理部２５５は、レイヤー記憶部３３０から取得した第１レイヤーＬ１と、レイヤー記憶部３３０から取得した第２レイヤーＬ２と、を重ね合わせて、変更画面を生成する。
更に詳細には、画像処理部２５５は、アプリケーション処理部４００により生成された第１レイヤーＬ１と、レイヤー制御部２５０により生成された第２レイヤーＬ２と、を重ね合わせて、変更画面を生成する。
ここで、画像処理部２５５は、例えば、表示領域１１ａの全部に対するマスキング処理が緩和された場合、第２レイヤーＬ２を重ね合わせないようにしてもよい。この場合、制御部２００における処理負担が軽減されるので好ましい。
画像処理部２５５は、生成した変更画面の情報を画像情報出力部２６０に出力する。
【００９４】
画像情報出力部２６０は、画像処理部２５５により生成された変更画像の情報を表示部１１に出力する。
画像情報出力部２６０は、画像処理部２５５から出力された変更画像の情報を表示部１１に所定のタイミングで出力する。
画像情報出力部２６０は、変更画像を表示部１１に表示させる。
【００９５】
記憶部３００は、複数のアプリケーションプログラムを記憶する。記憶部３００は、着脱可能な外部記憶部を兼ねていてもよい。
また、記憶部３００は、位置記憶部３１０と、処理パターン記憶部３２０と、レイヤー記憶部３３０と、を含む。
【００９６】
位置記憶部３１０は、位置検知部２１０からの検知結果を記憶する。
位置記憶部３１０は、接触物の接触位置（領域）及び接触点数の情報を記憶する。
位置記憶部３１０は、所定時における接触物の接触位置（領域）や接触点数の情報を記憶する。位置記憶部３１０に記憶される情報は、位置検知部２１０により新たに検知された検知結果と比較される。
例えば、位置記憶部３１０に記憶される接触位置及び接触点数の情報は、処理パターン判定部２２３により参照される。処理パターン判定部２２３は、位置記憶部３１０に記憶される接触位置及び接触点数等の情報と、位置検知部２１０からの新たな検知結果の情報とを比較して、変更があるか否かを確認する。そして、変更があることが確認された場合、処理パターン判定部２２３は、上述の判定を開始する。
【００９７】
処理パターン記憶部３２０は、処理パターン判定部２２３により参照される各種処理パターンの情報を記憶する。
処理パターン記憶部３２０は、例えば、位置検知部２１０における検知結果の情報、押圧力検知部２１３における検知結果の情報、キー検知部２１５における検知結果の情報及び計時部２３０における計時時間の情報等に対応して設定される処理パターンの情報を記憶する。処理パターンの例は、上述の通りである。
【００９８】
レイヤー記憶部３３０は、第１レイヤーＬ１の情報と、第２レイヤーＬ２の情報とをそれぞれ記憶する。
レイヤー記憶部３３０は、アプリケーション処理部４００から出力された画像（画面）に関する情報を第１レイヤーＬ１の情報として記憶する。
また、レイヤー記憶部３３０は、レイヤー制御部２５０から出力された第２レイヤーＬ２の情報を記憶する。
レイヤー記憶部３３０は、画像処理部２５５に参照される。レイヤー記憶部３３０は、画像処理部２５５に第１レイヤーＬ１の情報と、第２レイヤーＬ２の情報とを出力する。
【００９９】
アプリケーション処理部４００は、所定のアプリケーションを実行する。
アプリケーション処理部４００は、実行中のアプリケーションに応じて、表示部１１の表示領域１１ａに表示する画像を生成する。アプリケーション処理部４００は、画像を含む第１レイヤーＬ１を生成する。
そして、アプリケーション処理部４００は、生成した画像情報（第１レイヤーＬ１の情報）をレイヤー記憶部３３０に出力する。
【０１００】
図３から図１１により、第１実施における携帯電話機１の動作について説明する。
まず、図８により、携帯電話機１における基本的な動作を説明する。
図８に示すように、まず、ステップＳＴ１０１において、ユーザは、キー１６を押下げることで、携帯電話機１（制御部２００）におけるモードをマスキング処理モードに設定する。
制御部２００（キー検知部２１５）は、キー１６の押下を検知する。そして、制御部２００（モード切替部２２５）は、キー１６の押下を検知することで、該制御部２００（入力受付部２２０）におけるモードをマスキング処理モードに切り替える。
【０１０１】
次いで、ステップＳＴ１０２において、制御部２００（位置検知部２１０）は、ユーザの指（接触物）の接触を検知した場合（ＳＴ１０２、ＹＥＳ）、処理をステップＳＴ１０３に進める。
また、制御部２００（位置検知部２１０）は、ユーザの指（接触物）の接触を検知しない場合（ＳＴ１０３、ＹＥＳ）、処理を終了する。
【０１０２】
続けて、ステップＳＴ１０３において、制御部２００（処理パターン判定部２２３）は、検知した接触位置がマスキング処理された所定領域ＭＡ内であるか判定する。
制御部２００は、検知した接触位置が所定領域ＭＡ内であると判定した場合、処理をステップＳＴ１０５（マスキング緩和処理）に進める。ここで、マスキング緩和処理の具体例については、後に説明する。
また、制御部２００は、検知した接触位置が所定領域ＭＡ外であると判定した場合、処理をステップＳＴ１０４に進める。
【０１０３】
続けて、ステップＳＴ１０４において、制御部２００（処理パターン判定部２２３）は、接触位置の情報により、ユーザが所定操作（例えば、タップ操作）をしたか否かを判定する。
制御部２００は、ユーザが所定操作をしていないと判定した場合（ＳＴ１０４、ＮＯ）、処理をステップＳＴ１０６（マスキング設定処理）に進める。ここで、マスキング設定処理の具体例については、後に説明する。
また、制御部２００は、ユーザが所定操作（例えば、タップ操作）をしたと判定した場合（ＳＴ１０４、ＹＥＳ）、処理をステップＳＴ１０７（領域移動処理）に進める。ここで、領域移動処理の具体例については、後に説明する。
【０１０４】
次いで、図９により、マスキング緩和処理における携帯電話機１の動作について、図３から図５を適宜参照して説明する。
図９に示すように、まず、ステップＳＴ２０１において、制御部２００（位置検知部２１０）は、接触位置の情報を取得する。制御部２００（位置検知部２１０）は、ユーザの指（接触物）の位置、領域、接触点数等の情報を取得する。
【０１０５】
次いで、ステップＳＴ２０２において、制御部２００（処理パターン判定部２２３）は、位置記憶部３１０に記憶された従前の接触位置の情報と、取得した接触位置の位置情報とを比較して、接触物の接触状態に変化があるか否かを判定する。
そして、制御部２００（処理パターン判定部２２３）は、接触物の接触状態に変化があると判定した場合（ＳＴ２０２、ＹＥＳ）、処理をステップＳＴ２０３に進める。
そして、制御部２００（処理パターン判定部２２３）は、接触物の接触状態に変化がないと判定した場合（ＳＴ２０２、ＮＯ）、処理を終了させる。
【０１０６】
続けて、ステップＳＴ２０３において、制御部２００（処理パターン判定部２２３）は、新たに検知した接触位置情報により、接触点数を確認する。制御部２００（処理パターン判定部２２３）は、処理パターン記憶部３２０により記憶された各種処理パターンより、接触点数それぞれに応じた処理パターンの情報を取得する。
【０１０７】
そして、制御部２００は、接触点数が１点であることを確認した場合（ＳＴ２０３、Ａ）、処理をステップＳＴ２０４に進める。
図３を参照して、接触点数が１点の場合の携帯電話機１における動作例を説明する。
【０１０８】
また、制御部２００は、接触点数が２点であることを確認した場合（ＳＴ２０３、Ｂ）、処理をステップＳＴ２０６に進める。
図４を参照して、接触点数が２点の場合の携帯電話機１における動作例を説明する。
【０１０９】
また、制御部２００は、接触点数が３点であることを確認した場合（ＳＴ２０３、Ｃ）、処理をステップＳＴ２０８に進める。
図５を参照して、接触点数が３点の場合の携帯電話機１における動作例を説明する。
【０１１０】
続けて、ステップＳＴ２０４において、制御部２００（指定領域設定部２３５）は、接触領域（摺動領域）の情報を取得する。
図３における左側の図に示すように、表示領域１１ａの全部がマスキング処理された状態において、ユーザは、マスキング処理された所定領域ＭＡ上（タッチセンサ１２）を指でなぞる（摺動させる）。制御部２００（指定領域設定部２３５）は、ユーザがなぞった領域を接触領域（摺動領域）として検知する。
【０１１１】
続けて、ステップＳＴ２０５において、制御部２００（指定領域設定部２３５）は、検知した接触領域（摺動領域）を指定領域ＳＡに設定する。
制御部２００は、図３における左側の図の点線で囲まれた接触領域（摺動領域）を指定領域ＳＡに設定する。
ここで、制御部２００（マスキング処理部２４０）は、画像（画面）において指定領域ＳＡに対応する対象領域ＴＡに対してマスキング処理を緩和することを指定する。
【０１１２】
続けて、ステップＳＴ２０９において、制御部２００（レイヤー制御部２５０）は、対象領域ＴＡに対応する領域ＴＡ２をマスキング緩和用領域ＭＫとした第２レイヤーＬ２を生成する。
図３における中央の図に示すように、制御部２００は、ユーザの指が摺動された領域に対応した領域にマスキング緩和用領域ＭＫ（例えば、透明性が高い領域）が形成された第２レイヤーＬ２を生成する。
制御部２００は、生成した第２レイヤーＬ２の情報をレイヤー記憶部３３０に記憶させる。
【０１１３】
続けて、ステップＳＴ２１０において、制御部２００（画像処理部２５５）は、第１レイヤーＬ１と第２レイヤーＬ２とを重ね合わせ処理をして変形画像を生成する。
制御部２００は、レイヤー記憶部３３０に記憶される第１レイヤーＬ１と、レイヤー記憶部３３０に記憶される第２レイヤーＬ２とを重ね合わせて変更画像を形成する。
図３における中央部の図に示すように、制御部２００は、画面（文字）を含む第１レイヤーＬ１に、マスキング設定用領域ＭＲとマスキング緩和用領域ＭＫとを有する第２レイヤーＬ２を重ね合わせることで、図３における右側の図に示すように、マスキング処理が緩和された領域を有する変更画像を生成する。
【０１１４】
続けて、ステップＳＴ２１３において、制御部２００（画像情報出力部２６０）は、生成した変更画像の情報を表示部１１に出力する。
これにより、表示部１１には、表示領域１１ａにおける一部がマスキング緩和処理された領域を有する画像（画面）が表示される。
図３における右側の図に示すように、表示部１１は、「Ａ社の件、・・・・・」の部分が外部から視認可能になるようマスキング処理が緩和された画像（画面）を表示する。
【０１１５】
また、ステップＳＴ２０６において、制御部２００（指定領域設定部２３５）は、接触点（２点）の接触領域（摺動領域）の情報を取得する。制御部２００は、２点の接触点それぞれの接触位置情報を取得する。
図４における左側の図に示すように、表示領域１１ａの全部がマスキング処理された状態において、ユーザは、マスキング処理された所定領域ＭＡ上（タッチセンサ１２）の２点に指を置く（接触する）。
【０１１６】
続けて、ステップＳＴ２０７において、制御部２００（指定領域設定部２３５）は、検知した２点の接触点同士の間を指定領域ＳＡに設定する。
制御部２００は、図４における左側の図の点線で囲まれた接触領域（摺動領域）を指定領域ＳＡに設定する。
ここで、制御部２００（マスキング処理部２４０）は、画像（画面）において指定領域ＳＡに対応する対象領域ＴＡに対してマスキング処理を緩和することを指定する。
【０１１７】
続けて、ステップＳＴ２０９において、上述の通り、制御部２００（レイヤー制御部２５０）は、対象領域ＴＡに対応する領域ＴＡ２をマスキング緩和用領域ＭＫとした第２レイヤーＬ２を生成する。
図４における中央の図に示すように、制御部２００は、ユーザの指が摺動された領域に対応した領域にマスキング緩和用領域ＭＫ（例えば、透明性が高い領域）が形成された第２レイヤーＬ２を生成する。
制御部２００は、生成した第２レイヤーＬの情報をレイヤー記憶部３３０に記憶させる。
【０１１８】
続けて、ステップＳＴ２１０において、上述の通り、制御部２００（画像処理部２５５）は、第１レイヤーＬ１と第２レイヤーＬ２とを重ね合わせ処理をして変形画像を生成する。
制御部２００は、レイヤー記憶部３３０に記憶される第１レイヤーＬ１と、レイヤー記憶部３３０に記憶される第２レイヤーＬ２とを重ね合わせて変更画像を形成する。
図４における中央部の図に示すように、制御部２００は、画面（文字）を含む第１レイヤーＬ１に、マスキング設定用領域ＭＲとマスキング緩和用領域ＭＫとを有する第２レイヤーＬ２を重ね合わせることで、図４における右側の図に示すように、マスキング処理が緩和された領域を有する変更画像を生成する。
【０１１９】
続けて、ステップＳＴ２１３において、制御部２００（画像情報出力部２６０）は、生成した変更画像の情報を表示部１１に出力する。
これにより、表示部１１には、表示領域１１ａにおける一部がマスキング処理が緩和された領域を有する画像（画面）が表示される。
図４における右側の図に示すように、表示部１１は、「Ａ社の件、・・・・・」の部分が外部から視認可能になるようマスキング処理が緩和された画像（画面）を表示する。
【０１２０】
続けて、ステップＳＴ２０８において、制御部２００（指定領域設定部２３５）は、表示領域１１ａの全部（画像の全部）を指定領域ＳＡに設定する。
ここで、制御部２００（マスキング処理部２４０）は、画像（画面）において指定領域ＳＡに対応する対象領域ＴＡに対してマスキング処理を緩和することを指定する。
【０１２１】
続けて、ステップＳＴ２１１において、制御部２００（レイヤー制御部２５０）は、第２レイヤーＬ２を生成しない。
【０１２２】
続けて、ステップＳＴ２１２において、制御部２００（画像処理部２５５）は、第１レイヤーＬ１のみの変形画像を生成する。制御部２００は、レイヤー記憶部３３０に記憶される第１レイヤーＬ１のみの変更画像を形成する。
【０１２３】
続けて、ステップＳＴ２１３において、制御部２００（画像情報出力部２６０）は、生成した変更画像の情報を表示部１１に出力する。
これにより、表示部１１には、表示領域１１ａにおけるマスキング処理が全部緩和された画像（画面）が表示される。
図５における右側の図に示すように、表示部１１は、全ての画像が外部から視認可能になるようマスキング処理が全て緩和された画像（画面）を表示する。
【０１２４】
続けて、図１０により、マスキング設定処理における携帯電話機１の動作について、図６を適宜参照して説明する。
図１０に示すように、まず、ステップＳＴ３０１において、制御部２００（位置検知部２１０）は、接触位置の情報を取得する。制御部２００（位置検知部２１０）は、ユーザの指（接触物）の接触位置、領域等の情報を取得する。
【０１２５】
次いで、ステップＳＴ３０２において、制御部２００（処理パターン判定部２２３）は、位置記憶部３１０に記憶された従前の接触位置の情報と、取得した接触位置の位置情報とを比較して、接触物の接触状態に変化があるか否かを判定する。
そして、制御部２００（処理パターン判定部２２３）は、接触物の接触状態に変化があると判定した場合（ＳＴ３０２、ＹＥＳ）、処理をステップＳＴ３０３に進める。
そして、制御部２００（処理パターン判定部２２３）は、接触物の接触状態に変化がないと判定した場合（ＳＴ３０２、ＮＯ）、処理を終了させる。
【０１２６】
続けて、ステップＳＴ３０３において、制御部２００（指定領域設定部２３５）は、接触領域（摺動領域）の情報を取得する。
図６における左側の図に示すように、表示領域１１ａの全部がマスキング処理されていない状態において、ユーザは、マスキング処理されていない領域上（タッチセンサ１２）を指でなぞる（摺動させる）。制御部２００（指定領域設定部２３５）は、ユーザがなぞった領域を接触領域（摺動領域）として検知する。
【０１２７】
続けて、ステップＳＴ３０４において、制御部２００（指定領域設定部２３５）は、検知した接触領域（摺動領域）を指定領域ＳＡに設定する。
制御部２００は、図６における左側の図の点線で囲まれた接触領域（摺動領域）を指定領域ＳＡに設定する。
ここで、制御部２００（マスキング処理部２４０）は、画像（画面）において指定領域ＳＡに対応する対象領域ＴＡに対してマスキング処理を設定することを指定する。
【０１２８】
続けて、ステップＳＴ３０５において、制御部２００（レイヤー制御部２５０）は、対象領域ＴＡに対応する領域ＴＡ２をマスキング設定用領域ＭＲとした第２レイヤーＬ２を生成する。
図６における中央の図に示すように、制御部２００は、ユーザの指が摺動された領域に対応した領域にマスキング設定用領域ＭＲ（例えば、透明性が低い領域）が形成された第２レイヤーＬ２を生成する。
制御部２００は、生成した第２レイヤーＬの情報をレイヤー記憶部３３０に記憶させる。
【０１２９】
続けて、ステップＳＴ３０６において、制御部２００（画像処理部２５５）は、第１レイヤーＬ１と第２レイヤーＬ２とを重ね合わせ処理をして変形画像を生成する。
制御部２００は、レイヤー記憶部３３０に記憶される第１レイヤーＬ１と、レイヤー記憶部３３０に記憶される第２レイヤーＬ２とを重ね合わせて変更画像を形成する。
図６における中央部の図に示すように、制御部２００は、画面（文字）を含む第１レイヤーＬ１に、マスキング設定用領域ＭＲとマスキング緩和用領域ＭＫとを有する第２レイヤーＬ２を重ね合わせることで、図６における右側の図に示すように、マスキング処理が設定された領域を有する変更画像を生成する。
【０１３０】
続けて、ステップＳＴ３０７において、制御部２００（画像情報出力部２６０）は、生成した変更画像の情報を表示部１１に出力する。
これにより、表示部１１には、表示領域１１ａにおける一部がマスキング設定処理された領域を有する画像（画面）が表示される。
図６における右側の図に示すように、表示部１１は、「Ａ社の件、・・・・・」の部分が外部から視認不可又は困難になるようマスキング処理が設定された画像（画面）を表示する。
【０１３１】
続けて、図１１により、領域移動処理における携帯電話機１の動作について、図７を適宜参照して説明する。
図１１に示すように、まず、ステップＳＴ４０１において、制御部２００（レイヤー制御部２５０）は、移動領域（指定領域）を設定する。制御部２００は、所定操作（例えば、タップ操作）がされた領域に対応する領域を含むマスキング緩和用領域ＭＫを移動領域（指定領域）として設定する。
【０１３２】
次いで、ステップＳＴ４０２において、制御部２００（位置検知部２１０）は、接触位置の情報を取得する。制御部２００（位置検知部２１０）は、ユーザの指（接触物）の位置、領域等の情報を取得する。
【０１３３】
続けて、ステップＳＴ４０３において、制御部２００（レイヤー制御部２５０）は、タップ操作から所定時間内に、接触位置の情報を取得でき、接触物の接触が検知されたか否かを確認する。
制御部２００は、接触物の接触が検知されたことを確認した場合（ＳＴ４０３、ＹＥＳ）、処理をステップＳＴ４０４に進める。
また、制御部２００は、接触物の接触が検知されなかった場合（ＳＴ４０３、ＮＯ）、処理を終了する。
【０１３４】
続けて、ステップＳＴ４０４において、制御部２００（レイヤー制御部２５０）は、位置記憶部３１０に記憶された従前の接触位置の情報と、取得した接触位置の情報とを比較して、接触物がタッチセンサ１２に接触した状態で移動しているか否かを判定する。
制御部２００は、接触物が移動していると判定した場合（ＳＴ４０４、ＹＥＳ）、処理をステップＳＴ４０５に進める。
また、制御部２００は、接触物が移動していないと判定した場合（ＳＴ４０４、ＮＯ）、処理をステップＳＴ４０２に戻す。
【０１３５】
続けて、ステップＳＴ４０５において、制御部２００（レイヤー制御部２５０）は、検知した位置情報に基づいて移動領域（マスキング緩和用領域ＭＫ）の位置を移動させた第２レイヤーＬ２を生成する。
制御部２００は、生成した第２レイヤーＬの情報をレイヤー記憶部３３０に記憶させる。
【０１３６】
続けて、ステップＳＴ４０６において、制御部２００（画像処理部２５５）は、第１レイヤーＬ１と第２レイヤーＬ２とを重ね合わせ処理をして変形画像を生成する。
制御部２００は、レイヤー記憶部３３０に記憶される第１レイヤーＬ１と、レイヤー記憶部３３０に記憶される第２レイヤーＬ２とを重ね合わせて変更画像を形成する。
【０１３７】
続けて、ステップＳＴ４０７において、制御部２００（画像情報出力部２６０）は、生成した変更画像の情報を表示部１１に出力する。
これにより、表示部１１には、マスキング緩和用領域ＭＫが移動された画像（画面）が表示される。
続けて、制御部２００は、処理をステップＳＴ４０２に戻し、ステップＳＴ４０２からステップＳＴ４０７における処理を繰り返す。
制御部２００は、上記繰り返し処理を行うと共に、ステップＳＴ４０３において、接触物の接触を検知しなくなった場合（ユーザが指を離して操作を終了した場合）、処理を終了する。
【０１３８】
これにより、制御部２００は、図６における中央部の図に示すように、マスキング緩和用領域ＭＫが移動された第２レイヤーＬ２を生成する。
そして、制御部２００は、画面（文字）を含む第１レイヤーＬ１に、マスキング緩和用領域ＭＫが移動された第２レイヤーＬ２を重ね合わせることで、図６における右側の図に示すように、マスキング処理された領域が移動された変更画像を生成する。
図６における右側の図に示すように、表示部１１は、「Ａ社の件、・・・・・」の部分ではなく、「Ｙ社の件、・・・・・」が外部から視認可能になるようマスキング処理が緩和された画像（画面）を表示する。
【０１３９】
本実施形態によれば、ユーザが指定した領域における色属性の差を変更することで、表示された情報の秘匿性と、ユーザの作業性との両立を図ることが可能な携帯電話機１（表示装置）を提供することができる。
【０１４０】
また、本実施形態によれば、携帯電話機１は、部分的にマスキング処理を設定又は緩和できるので、ユーザに対しては、該ユーザが確認したい領域をはっきりと見せることができ、文章の確認や、タッチ入力操作をスムーズに行わせることができると共に、第３者に対しては、秘匿したい領域における視認性を低下させて、覗き見の防止機能を維持できる。
【０１４１】
また、本実施形態によれば、携帯電話機１は、マスキング処理を設定又は緩和する領域をタッチセンサ等を利用してユーザに対して簡易に指定させることができる。これにより、ユーザは、例えば、表示面（タッチセンサ）をなぞるだけで、マスキング処理を設定又は緩和する領域を選択することができる。
【０１４２】
また、本実施形態によれば、携帯電話機１は、タッチスクリーンへの接触態様（接触点数、摺動移動、所定入力操作）により、マスキング処理を設定又は緩和する領域や、設定又は緩和のパターンを自動的に実施可能に構成される。これにより、ユーザは、タッチセンサへの接触態様を変えることで、簡易にマスキング処理を設定又は緩和する領域や、設定又は緩和のパターンを選択操作することができる。
【０１４３】
また、本実施形態によれば、携帯電話機１は、タッチスクリーンへの接触態様（所定操作）により、マスキング処理が設定又は緩和された領域を移動させることができる。
これにより、ユーザは、タッチセンサへの接触態様（所定操作）により、マスキング処理が設定又は緩和された領域を簡易に移動させることができる。
【０１４４】
また、本実施形態によれば、携帯電話機１は、マスキング処理が緩和された領域を、完全に透明等にせずに、マスキング処理が設定された領域よりも透明性を低くすることができる。これにより、携帯電話機１は、マスキング処理が緩和された領域においても、ユーザが十分に視認可能な程度であって、第３者からは視認不可又は困難に表示させることができる。
【０１４５】
また、本実施形態によれは、携帯電話機１は、画像を含む第１レイヤーと、マスキング処理設定用又は緩和用領域を有する第２レイヤーとを重ね合わせることで、表示領域における全部又は一部におけるマスキング処理の設定又は緩和を行っている。これにより、携帯電話機１は、新たなデバイスを必要とすることなく、表示された情報の秘匿性と、ユーザの作業性との両立を図ることができる。
【０１４６】
また、本実施形態によれば、携帯電話機１は、画像を含む第１レイヤーに第２レイヤーを重ね合わせて変更画像を生成しているので、元の画像（画面）の情報を処理することなく、上記作用効果を奏する。これにより、携帯電話機１は、アプリケーション処理部から出力される画像等に悪影響を与えることなく、表示された情報の秘匿性と、ユーザの作業性との両立を図ることができる。
【０１４７】
続けて、図１２及び図１３により、第２実施形態について説明する。
図１２は、第２実施形態における表示領域１１ａの第１例を説明する図である。図１３は、第２実施形態における表示領域１１ａの第２例を説明する図である。
【０１４８】
図１２により、第２実施形態における表示領域１１ａの第１例を説明する。
まず、ユーザは、複数のキーを有する入力操作部（不図示）を利用して、操作入力を行っている。本例において、ユーザは、文章作成を行っている。表示部１１における表示領域１１ａの全部に対してマスキング処理がされた状態において、ユーザは、入力操作部を利用して操作入力を行っている。
この場合、カーソル５０１や、予測変換候補欄５１０（操作ガイド情報）は、マスキング処理された領域（所定領域ＭＡ）に表示されることになる。
ここで、本例において、制御部２００は、マスキング処理された所定領域に含まれる領域にカーソルが表示された場合、カーソルが表示された領域又はカーソルが移動可能な領域の全部又は一部を指定領域として設定し、指定領域に対応する対象領域に対してマスキング緩和処理をする。
つまり、制御部２００は、カーソル５０１の前後所定範囲におけるマスキング処理を緩和する。
【０１４９】
また、本例においては、制御部２００は、マスキング処理された所定領域に含まれる領域に予測変換候補欄５１０（操作ガイド情報）が表示された場合、予測変換候補欄５１０が表示された領域を指定領域として設定し、指定領域に対応する対象領域に対してマスキング緩和処理をする。
つまり、制御部２００は、予測変換候補欄５１０の表示領域におけるマスキング処理を緩和する。
【０１５０】
ここで、制御部２００は、予測変換候補欄５１０の表示領域を除く領域を指定領域として設定し、指定領域に対応する対象領域に対してマスキング緩和処理をすることもできる。
つまり、制御部２００は、予測変換候補欄５１０の表示領域を除く領域のマスキング処理を緩和し、予測変換候補欄５１０の表示領域におけるマスキング処理を維持することもできる。
【０１５１】
また、制御部２００は、カーソル５０１の移動領域等だけをマスキング緩和し、予測変換候補欄５１０はマスキング緩和をしないようにしてもよい。
【０１５２】
図１３により、第２実施形態における表示領域１１ａの第２例を説明する。
まず、ユーザは、表示部１１の表示領域１１ａに表示される複数のソフトキーで構成される入力操作部５２０を利用して、操作入力を行っている。本例において、ユーザは、文章作成を行っている。表示部１１における表示領域１１ａの全部に対してマスキング設定処理がされた状態において、ユーザは、表示領域１１ａに表示された入力操作部５２０を利用して操作入力を行っている。
この場合、カーソル５０１や、入力操作部５２０（操作ガイド情報）は、マスキング処理された領域（所定領域ＭＡ）に表示されることになる。
ここで、本例において、第１例と同様に、制御部２００は、マスキング処理された所定領域に含まれる領域にカーソルが表示された場合、カーソルが表示された領域又はカーソルが移動可能な領域の全部又は一部を指定領域として設定し、指定領域に対応する対象領域に対してマスキング緩和処理をする。
つまり、制御部２００は、カーソル５０１の前後所定範囲におけるマスキング処理を緩和する。
【０１５３】
また、本例においては、制御部２００は、マスキング処理された所定領域に含まれる領域に入力操作部５２０（操作ガイド情報）が表示された場合、入力操作部５２０が表示された領域を指定領域として設定し、指定領域に対応する対象領域に対してマスキング緩和処理をする。
つまり、制御部２００は、入力操作部５２０の表示領域におけるマスキング処理を緩和する。
【０１５４】
ここで、制御部２００は、入力操作部５２０の表示領域を除く領域を指定領域として設定し、指定領域に対応する対象領域に対してマスキング緩和処理をすることもできる。
つまり、制御部２００は、入力操作部５２０の表示領域を除く領域のマスキング処理を緩和し、入力操作部５２０の表示領域におけるマスキング処理を維持する。
【０１５５】
また、ここで、制御部２００は、入力操作部５２０のほか、例えば、絵文字選択エリアやキーパッドエリアの領域に対して、マスキング緩和処理等をするよう構成してもよい。
【０１５６】
本実施形態によれば、携帯電話機１は、カーソルが表示された領域又はカーソが移動可能な領域の全部又は一部に対して、マスキング処理を緩和する。これにより、携帯電話機１は、ユーザに対しては、文書作成等において必要な情報を視認させることができ、文章の作成等をスムーズに行わせることができると共に、第３者に対しては、秘匿したい領域における視認性を低下させて、覗き見の防止機能を維持できる。
【０１５７】
また、本実施形態によれば、携帯電話機１は、予測変換候補欄やソフトキーで構成される入力操作部等の操作ガイド情報が表示された領域に対して、マスキング処理を緩和する。これにより、携帯電話機１は、ユーザに対しては、文書作成等において必要な情報を視認させることができ、文章の作成等をスムーズに行わせることができると共に、第３者に対しては、秘匿したい領域における視認性を低下させているので、覗き見の防止機能を維持できる。
【０１５８】
また、本実施形態によれば、第１実施形態における作用効果と同様の作用効果を奏する。
【０１５９】
続けて、図１４Ａ及び図１４Ｂにより、第３実施形態について説明する。
図１４Ａは、第３実施形態における表示領域１１ａの第１態様を説明する図である。図１４Ｂは、第３実施形態における表示領域１１ａの第２態様を説明する図である。
【０１６０】
図１４Ａに示すように、本実施形態における表示領域１１ａの第１態様は、表示部１１における表示領域１１ａの全部がマスキング処理されている態様である。
この状態において、ユーザが、カメラアプリケーションを起動させるカメラ用キー１６ａを押下すると、アプリケーション処理部４００は、カメラアプリケーションを起動させる。
カメラアプリケーションが起動された場合、表示領域１１ａの態様が第２態様に変更される。
具体的には、図１４Ｂに示すように、カメラアプリケーションが起動されると、表示領域１１ａにおけるマスキング処理が緩和され、アプリケーションにおける画像が視認可能な状態で表示される。
【０１６１】
更に具体的には、制御部２００は、アプリケーション処理部４００（アプリケーション実行部）から、実行中のアプリケーションである実行中アプリケーションを特定する識別情報を取得する。
次いで、制御部２００は、取得した識別情報により特定される実行中アプリケーションが所定のアプリケーションであるか否かを判定する。
続けて、制御部２００は、実行中アプリケーションが所定のアプリケーションであると判定した場合、マスキング処理された領域（所定領域ＭＡ）の全部を指定領域に設定する。
そして、制御部２００は、指定領域に対応する対象領域に対してマスキング緩和処理をする。
【０１６２】
つまり、制御部２００は、各アプリケーションにおける携帯電話機１の使用態様に鑑み、表示領域１１ａの視認性を向上させる必要があるアプリケーションや、表示領域１１ａの視認性を低下させておく必要がないアプリケーションが実行された場合、表示領域１１ａにおけるマスキング処理を緩和する。
【０１６３】
ここで、所定のアプリケーションとして、カメラアプリケーションのほか、通話アプリケーション等を例示できる。
【０１６４】
本実施形態によれば、携帯電話機１は、表示領域にマスキング処理が設定されている状態で、カメラアプリケーションや通話アプリケーション等の所定のアプリケーションが実行された場合、マスキング処理を緩和することができる。
これにより、携帯電話機１は、アプリケーションごとの使用態様に応じて、マスキング処理が不要な場合、自動的にマスキング処理を緩和できる。
これにより、携帯電話機１は、不要なマスキング処理を回避すると共に、秘匿したい領域における視認性を低下させているので、覗き見の防止機能を維持できる。
また、本実施形態によれば、第１実施形態における作用効果と同様の作用効果を奏する。
【０１６５】
以上、好適な実施形態について説明したが、本発明は上述した実施形態に限定されることなく種々の形態で実施することができる。例えば、上述の施形態において、表示装置として携帯電話機１について説明しているが、これに限定されず、表示装置は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【０１６６】
また、上述の施形態において、領域指定部として、タッチセンサを中心に説明しているが、これに限定されず、領域指定部は、例えば、テンキーを活用できる。また、領域指定部は、ポインティングスティック、タッチパッドやマウス等のポインティングデバイスを利用できる。
【０１６７】
ポインティングスティック、タッチパッドやマウス等は、上述の実施形態におけるタッチセンサにそのまま置き換えることで、上述の実施形態における携帯電話機（表示装置）に適用できる。
【０１６８】
テンキーは、例えば、表示領域を複数に分割するよう設定した場合、領域選択モードにおいて、始点の分割領域と終点の分割領域とを選択することで、指定領域を選択できるように構成することで、上述の実施形態における携帯電話機に適用することができる。
【０１６９】
また、本発明には、画像を表示可能な表示領域を有する表示部と、前記表示部の表示領域における全部又は一部を指定する領域指定部と、を有する表示装置が、変更画像を表示する表示方法であって、前記表示装置が、前記領域指定部からの指定情報に基づいて指定領域を設定するステップと、前記表示装置が、前記表示部に表示された前記画像のうち、前記指定領域に対応する対象領域に対して色属性の差を変更する変更処理をして変更画像を生成するステップと、前記表示装置が、該変更画像を前記表示部に表示させるステップと、を含む表示方法が含まれる。
【０１７０】
また、本発明には、画像を表示可能な表示領域を有する表示部と、前記表示部の表示領域における全部又は一部を指定する領域指定部と、を有する表示装置に変更画像を表示させる表示方法を実行させるプログラムであって、前記表示装置が、前記領域指定部からの指定情報に基づいて指定領域を設定するステップと、前記表示装置が、前記表示部に表示された前記画像のうち、前記指定領域に対応する対象領域に対して色属性の差を変更する変更処理をして変更画像を生成するステップと、前記表示装置が、該変更画像を前記表示部に表示させるステップと、を実行させるプログラムが含まれる。
【符号の説明】
【０１７１】
１      携帯電話機（表示装置）
１１    表示部
１１ａ  表示領域
１２    タッチセンサ
１３    押圧力検出部
１４    マイク
１５    スピーカ
１６    キー
１６ａ  カメラ用キー
１７    タイマー
２０    ケース部材
９０    メインアンテナ部
１００  通信部
１０１  通信処理部
２００  制御部
２１０  位置検知部
２１３  押圧力検知部
２１５  キー検知部
２２０  入力受付部
２２３  処理パターン判定部
２２５  モード切替部
２３０  時間計時部
２３５  指定領域設定部
２４０  マスキング処理部
２５０  レイヤー制御部
２５５  画像処理部
２６０  画像情報出力部
３００  記憶部
３１０  タッチ位置記憶部
３２０  処理パターン記憶部
３３０  レイヤー記憶部
４００  アプリケーション処理部
５０１  カーソル
５１０  予側変換候補欄
５２０  入力操作部
【図１】
2013020522.tif 000003
【図２】
2013020522.tif 000004
【図３】
2013020522.tif 000005
【図４】
2013020522.tif 000006
【図５】
2013020522.tif 000007
【図６】
2013020522.tif 000008
【図７】
2013020522.tif 000009
【図８】
2013020522.tif 000010
【図９】
2013020522.tif 000011
【図１０】
2013020522.tif 000012
【図１１】
2013020522.tif 000013
【図１２】
2013020522.tif 000014
【図１３】
2013020522.tif 000015
【図１４Ａ】
2013020522.tif 000016
【図１４Ｂ】
2013020522.tif 000017